(57)【要約】【課題】家電製品の防燃性を向上させる。【解決手段】暖房便座３は、それぞれ合成樹脂製の便座アッパー３ａと便座ロワー３ｂとを超音波溶着等により連結して中空殻体形状とした外殻体としての便座本体と、この便座本体の内面全体にわたって設けられた防燃材層５と、便座アッパー３ａ側の防燃材層５の内面に取り付けられたヒータ６とを有する。便座ボックス２は、無底形状の上半体２ａと、該上半体２ａに連結された底部プレート２ｂとを有する。上半体２ａの内面に沿って防燃材層８が設けられている。【選択図】  図１
2004147858.tif 000002
【特許請求の範囲】
【請求項１】
外殻体の内部に電気配線又は電気機器が配置されている家電製品において、
該外殻体の内面の少なくとも一部に防燃材層を設けたことを特徴とする家電製品。
【請求項２】
請求項１において、該防燃材層はシート状であることを特徴とする家電製品。
【請求項３】
請求項１において、該防燃材層は塗料層よりなることを特徴とする家電製品。
【請求項４】
請求項１において、該防燃材層は成形体よりなることを特徴とする家電製品。
【請求項５】
請求項１ないし４のいずれか１項において、該防燃材層は水酸化アルミニウムを含有することを特徴とする家電製品。
【請求項６】
請求項１ないし５のいずれか１項において、前記防燃材層は、前記電気配線又は電気機器の上方の外殻体内面に沿って設けられていることを特徴とする家電製品。
【請求項７】
請求項１ないし６のいずれか１項において、該家電製品は暖房便座又は便座ボックスであることを特徴とする家電製品。
【発明の詳細な説明】
【０００１】
【発明の属する技術分野】
本発明は、家電製品に係り、特に内部で発火した際の延焼を防止するよう構成された家電製品に関する。詳しくは、本発明は、例えば暖房便座又は便座に適用するのに好適な家電製品に関する。
【０００２】
【従来の技術】
暖房便座は、合成樹脂製の便座本体の内部に電気ヒータを取り付けたものである。特開平１１−２９０２４４号公報には、この暖房便座内部に発泡断熱材を充填すること；この発泡断熱材として難燃性素材を用いること（第００２１段落）が記載されている。
【０００３】
【特許文献】
特開平１１−２９０２４４号
【０００４】
【発明が解決しようとする課題】
上記特開平１１−２９０２４４号にあっては、難燃性断熱材を用いている。この難燃性断熱材は難燃性ではあるが、燃焼しうるものである。
【０００５】
また、上記特開平１１−２９０２４４号にあっては、ヒータが合成樹脂製の便座の上面部に沿って配置されており、発泡断熱材はヒータの下側に配置されている。（なお、断熱材を便座上面部とヒータとの間に介在させたのでは、ヒータの熱が便座上面部に伝わりにくくなる。）このように断熱材をヒータの下側に配置した場合、万が一ヒータから発火が生じた場合に炎が合成樹脂製の便座上面部に直に触れることになる。
【０００６】
本発明は、内部の電気配線や電気機器が発火しても延焼を抑制することができる家電製品を提供することを目的とする。
【０００７】
【課題を解決するための手段】
本発明の家電製品は、外殻体の内部に電気配線又は電気機器が配置されている家電製品において、該外殻体の内面の少なくとも一部に防燃材層を設けたことを特徴とするものである。
【０００８】
かかる家電製品にあっては、外殻体内部の電気配線又は電気機器から万が一発火した場合でも、防燃材層が存在するので、炎が外殻体に延焼することを抑制することができる。
【０００９】
この防燃材層をシート状とした場合には、外殻体内面が複雑な形状であっても、外殻体内面と電気配線又は電気機器との間に防燃材層を配置することができる。
【００１０】
この防燃材層を塗料層とした場合には、外殻体内面が曲面であっても容易に防燃材層を形成できる。
【００１１】
この防燃材層を成形体にて構成した場合には、厚みが十分に大きく防炎特性に著しく優れた防燃材層を配置することができる。
【００１２】
この防燃材層としては、防燃特性に優れた水酸化アルミニウムを含有するものが好ましい。
【００１３】
【発明の実施の形態】
以下、図面を参照して本発明の実施の形態について説明する。図１（ａ）は実施の形態に係る家電製品としての便座ボックス及び暖房便座の斜視図、図１（ｂ）はこの暖房便座の斜視図、図１（ｃ）は図１（ｂ）のＣ−Ｃ線に沿う断面図である。図２（ａ）は図１（ａ）のＩＩ−ＩＩ線に沿う断面図、図２（ｂ）は便座ボックスの分解断面図である。
【００１４】
図１（ａ）の通り、陶器製の洋風便器１の後部上面に便座ボックス２が設置され、この便座ボックス２に対し暖房便座３及び便蓋４が起倒方向回動自在に設けられている。
【００１５】
暖房便座３は、それぞれ合成樹脂製の便座アッパー３ａと便座ロワー３ｂとを超音波溶着等により連結して中空殻体形状とした外殻体としての便座本体と、この便座本体の内面全体にわたって設けられた防燃材層５と、便座アッパー３ａ側の防燃材層５の内面に取り付けられたヒータ６とを有する。
【００１６】
なお、防燃材層５は便座アッパー３ａと便座ロワー３ｂとに予め取り付けられている。防燃材層５は、接着剤や粘着剤によって便座アッパー３ａ及び便座ロワー３ｂに付着されてもよく、合成樹脂製の便座アッパー３ａや便座ロワー３ｂを金型で成形するときに金型内面に防燃材層５を配置しておくことにより、便座アッパー３ａ及び便座ロワー３ｂと一体化されてもよい。
【００１７】
便座ボックス２は、無底形状の上半体２ａと、該上半体２ａに連結された底部プレート２ｂとを有する。上半体２ａ及び底部プレート２ｂはいずれも合成樹脂製である。底部プレート２ｂ上に、温水タンク、制御回路基板、温風ファン、脱臭ファン、温水洗浄ノズル等の機器７が設置されている。
【００１８】
この実施の形態では、上半体２ａの内面に沿って防燃材層８が設けられている。この防燃材層８は、図２（ｂ）の通り、予め上半体２ａの内面に内嵌する形状に成形された成形体よりなる。この防燃材層８を上半体２ａに内嵌させ、必要に応じ両面テープや接着剤等で留め付ける。機器７を搭載した底部プレート２ｂにこの上半体２ａを被せてビス留めすることにより便座ボックス２が構成される。
【００１９】
なお、成形体よりなる防燃材層８の代わりに、図１の場合と同様にシート状防燃材層８を便座ボックス２の内面に取り付けてもよい。
【００２０】
このように構成された便座ボックス２及び暖房便座３にあっては、仮にヒータ６や機器７が発火したとしても、合成樹脂の便座アッパー７ａ、便座ロワー３ｂ、上半体２ａが防燃材層５，８で覆われているため、便座アッパー７ａ、便座ロワー３ｂ、上半体２ａが燃えることがなく延焼を抑制することができる。
【００２１】
この実施の形態においては、暖房便座３は、その内面の全体が防燃材層５で覆われているので、暖房便座３が洋風便器１上に倒伏していても、また起立姿勢にあっても、ヒータ６の発火による便座アッパー３ａ及び便座ロワー３ｂの燃焼が確実に防止される。なお、最近では、人体の不検知信号に基づいて自動的に便座を倒伏させるようにした自動開閉式の便座装置が普及している。この自動開閉式の便座装置の場合であれば、人が居ないときには便座３は必ず倒伏しており、ヒータ６の発火による炎は便座アッパー３ａにのみ接触する。そのため、この場合には便座アッパー３ａの内面にのみ防燃材層を設けても十分な防燃効果を得ることができる。
【００２２】
図２の便座ボックス２において、底部プレート２ｂの内面にも防燃材層を設けてもよいが、上記の通り機器７からの炎は上方に立ち上がるので、底部プレート２ｂには防燃材層は設けなくても十分な防燃効果を得ることができる。また、底部プレート２ｂに防燃材層を設けないことにより、底部プレート２ｂに機器７を搭載し易いものとなる。
【００２３】
本発明において、防燃材層としては水酸化アルミニウムを含むシート状又は成形体であることが好ましく、特に水酸化アルミニウムと無機繊維とを含むシート又は成形体であることが好ましい。水酸化アルミニウムの含有率は例えば２０〜８０重量％特に３０〜６０重量％程度にすることにより、十分な防燃効果を得ることができる。無機繊維としてはガラス繊維が好適であるが、これに限定されない。
【００２４】
上記のシート又は成形体よりなる防燃材層の代わりに、水酸化アルミニウムを含む塗料を塗布して防燃材層を形成してもよい。
【００２５】
上記実施の形態は暖房便座及び便座ボックスに関するものであるが、本発明はその他の家電製品にも適用できる。
【００２６】
【発明の効果】
以上の通り、本発明によると、家電製品の防燃性が著しく高いものとなる。
【図面の簡単な説明】
【図１】図１（ａ）は実施の形態に係る家電製品としての便座ボックス及び暖房便座の斜視図、図１（ｂ）はこの暖房便座の斜視図、図１（ｃ）は図１（ｂ）のＣ−Ｃ線に沿う断面図である。
【図２】図２（ａ）は図１（ａ）のＩＩ−ＩＩ線に沿う断面図、図２（ｂ）は便座ボックスの分解断面図である。
【符号の説明】
２  便座ボックス
３  暖房便座
５  防燃材層
６  ヒータ
７  機器
８  防燃材層
【図１】
2004147858.tif 000003
【図２】
2004147858.tif 000004